Podtech/llm-jp-corpus-v4-ja_patent huggingface dataset:
(57)【要約】【課題】さまざまな形状の空調ダクト（四角、丸、異口径の接続、曲がり等）の清掃を可能にする装置の提供。またダクト内の汚れの程度、質もさまざまであり、これに対応できる清掃の方法を提供する。【解決手段】自走する台車１に、エアーブラスト用のノズルを取り付け、研磨材を圧縮空気により射出し、ダクト内部を清掃する。ノズルホルダーを回動することにより、取り付けてあるノズルも回動し、ダクト内部をくまなく研磨、清掃する。汚れの程度、質により、圧縮空気の圧力と研磨材を変えて、色々な汚れに対応できる。【選択図】図１
2008122049.tif 000002
【特許請求の範囲】
【請求項１】
研磨材を用いたエアーブラストにより、さまざまな形状の空調ダクト（四角、丸、異口径の接続、曲がり等）の清掃を可能にする。
【請求項２】
ダクト内の汚れの程度、質により、用いる研磨材の種類と空気の圧力を変え、さまざまな汚れにも対応できる工法。
【発明の詳細な説明】
【技術分野】
【０００１】本発明は、空調ダクト内の清掃装置および清掃方法に関する。
【背景技術】
【０００２】従来、空調ダクト内の清掃装置および清掃方法としては、エアーホースにノズルを取り付けて、圧縮空気を吹き付けるものや、回転するブラシを取り付けた清掃ロボット等が提案されている。
【発明の開示】
【発明が解決しようとする課題】
【０００３】しかしながら、圧縮空気を吹き付けるだけでは、汚れの種類によっては吹き落とすことはできず、回転ブラシでは、異口径のつなぎ、丸型ダクト、コーナーなどに十分対応できない。
【課題を解決するための手段】
【０００４】そこで、研磨材を用いたエアーブラストにより、さまざまな形状の空調ダクト（四角、丸、異口径の接続、曲がり等）の清掃を可能にする。エアーブラストは、細かな研磨材を圧縮空気で飛ばし、汚れを落とすもので、ダクトの形状に係らず、あらゆる部分に研磨材が到達し、汚れを落とす。研磨材を用いたエアーブラストにより、さまざまな形状の空調ダクト（四角、丸、異口径の接続、曲がり等）の清掃を可能にする。【０００５】またダクト内の汚れの程度、質により、用いる研磨材の種類と圧縮空気の圧力を変える。研磨材としては、鉄、樹脂、植物などがあり、いろいろな汚れの清掃に対応できる。圧縮空気の圧力も、汚れ具合と使用する研磨材により、かえる。本来エアーブラストは、鉄板や船の錆落としに用いられるほど、強力なものであり、ダクト内の汚れも研磨材の材質と圧縮空気の圧力の調整により、ダクトの素材を損なわずに表面の清掃ができる。
【発明の効果】
【０００６】よって、研磨材を用いたエアーブラストによりさまざまな形状の空調ダクト（四角、丸、異口径の接続、曲がり等）の清掃を可能にし、いろいろな汚れの清掃に対応できる
【発明を実施するための最良の形態】
【０００７】図１は、自走する台車１に、エアーブラスト用のノズルを取り付けた装置の外形図である。ノズルはノズルホルダー３に４本取り付けてあり、上部、右側面、下部、左側面の清掃を行う。
台車１には、圧縮空気供給ホース４と研磨材供給ホース５が接続され、台車内部の圧縮空気コントローラー２経由で、ノズルに圧縮空気と研磨材を供給する。
１０のモニターカメラは、清掃前の状態と後の結果を確認するため取り付けられており、エアーブラスト中は台車１に格納する。
図２は、台車１の正面図である。ノズルホルダーは操作により、回動し、ダクト内部にくまなく研磨材が当たるようにする。
図３の圧縮空気コントローラーは、開閉弁の操作により、研磨材の射出調整を行う。
【産業上の利用可能性】
【００８】本発明に係る空調ダクトの清掃装置は、工業的に量産することが可能であるため、産業上の利用可能性を有する。
【図面の簡単な説明】
【０００９】
【図１】エアーブラストノズルを取り付けた台車
【図２】図１の正面図
【図３】圧縮空気コントローラー断面図
【図４】ノズルの構造図
【符号の説明】
【００１０】  １．      台車
２．      圧縮空気コントローラー
３．      ノズルホルダー
４．      ホース
５．      ホース
６．      ノズル
７．      ノズル
８．      ノズル
９．      ノズル
１０．      モニターカメラ
１１．      照明灯
１２．      開閉弁
１３．      開閉弁
１４．      開閉弁
１５．      開閉弁
【図１】
2008122049.tif 000003
【図２】
2008122049.tif 000004
【図３】
2008122049.tif 000005
【図４】
2008122049.tif 000006
(57)【要約】【課題】  加熱する場合の蒸気圧力と温度を、任意に選択することのできる加熱冷却装置を提供する。【解決手段】  上型１と下型２からなる金型で熱交換室を形成する。上型１に蒸気供給管５と圧縮空気供給管３をそれぞれ接続する。吸引手段を、エゼクタ１１とタンク７と循環ポンプ１０で構成する。循環ポンプ１０の吐出側管路を分岐した分岐管１５を配置して、その上端を上型１及び下型２の右側端部と接続する。  金型１，２を加熱する場合は、蒸気供給管５から所定圧力及び温度の蒸気と、圧縮空気供給管３から所定温度及び圧力の圧縮空気を供給することによって、任意の圧力と温度で被熱交換物を加熱することができる。【選択図】  図１
2008122041.tif 000002
【特許請求の範囲】
【請求項１】
被熱交換物を加熱あるいは冷却する熱交換室を形成して、当該熱交換室へ加熱用流体あるいは冷却用流体を供給すると共に、熱交換室を吸引手段と接続したものにおいて、熱交換室へ所定温度に制御された圧縮空気を供給する圧縮空気供給管を接続したことを特徴とする加熱冷却装置。
【発明の詳細な説明】
【技術分野】
【０００１】
本発明は、熱交換室で被熱交換物を加熱あるいは冷却する加熱冷却装置に関する。
【背景技術】
【０００２】
加熱冷却装置は、熱交換室に加熱用の蒸気供給管と、複数の冷却流体噴射口を有する冷却流体管路とを接続して、蒸気供給管から加熱用の蒸気を供給し、一方、冷却流体噴射口から冷却流体を噴射すると共に、熱交換室を吸引手段と接続したもので、被熱交換物を加熱あるいは冷却することができるものである。
【０００３】
この加熱冷却装置においては、加熱する場合に、蒸気の圧力と温度の一対一の関係を利用しているために、ある蒸気圧力とその圧力に対する飽和蒸気温度でしか加熱することができず、加熱することのできる被熱交換物が限定されてしまう問題があった。例えば、圧力は高く維持して、蒸気温度はこの圧力に対する飽和蒸気温度よりも低い温度で加熱しなければ熱損傷を生じてしまう被熱交換物が多々あるのである。
【特許文献１】特開２００６−２５８３１６号公報
【発明の開示】
【発明が解決しようとする課題】
【０００４】
解決しようとする課題は、加熱する場合の蒸気圧力と温度を、飽和蒸気の一対一の関係だけでなく、任意に選択することのできる加熱冷却装置を提供することである。
【課題を解決するための手段】
【０００５】
本発明は、被熱交換物を加熱あるいは冷却する熱交換室を形成して、当該熱交換室へ加熱用流体あるいは冷却用流体を供給すると共に、熱交換室を吸引手段と接続したものにおいて、熱交換室へ所定温度に制御された圧縮空気を供給する圧縮空気供給管を接続したものである。
【発明の効果】
【０００６】
本発明の加熱冷却装置は、熱交換室へ所定温度に制御された圧縮空気を供給することができることによって、加熱する蒸気の圧力と温度を一対一の飽和蒸気の関係だけに限らずに、供給される圧縮空気の温度と圧力、及び、加熱用の蒸気の圧力と温度を適宜組み合わせることにより、任意の圧力と温度の、圧縮空気と蒸気との混合流体でもって、被熱交換物を加熱することができる。
【発明を実施するための最良の形態】
【０００７】
本発明は、熱交換室へ所定温度に制御された圧縮空気を供給するものであるが、例えば、空気圧縮機で所定圧力の圧縮空気を生成し、この圧縮空気を熱交換手段で所定の温度まで熱交換することによって、任意の圧力と温度の圧縮空気を供給することができる。
【実施例１】
【０００８】
本実施例においては、熱交換室として上型１と下型２からなる金型を用いた例を示す。この金型１，２の間に、自動車のハンドルと、このハンドルに貼り合わせるブラスチック製のシールを装着して、ハンドルにプラスチック・シールを強固に貼り付けるものである。上型１の左上部に加熱用の蒸気供給管５を接続する。蒸気供給管５の入口側には、供給蒸気量を制御するための制御弁６を取り付ける。更に、上型１の右上部に所定温度の圧縮空気を供給する圧縮空気供給管３を接続して、制御弁４を取り付ける。
【０００９】
下型２の下端面に管路９を介してエゼクタ１１とタンク７と循環ポンプ１０を順次に接続して吸引手段としてのエゼクタ式真空ポンプを構成する。
【００１０】
循環ポンプ１０の吐出側管路を分岐した分岐管１５を配置して、その上端を上型１及び下型２の右側端部と接続する。分岐管１５には、供給する循環水すなわち冷却流体量を制御するための制御弁１７を取り付ける。更に、循環ポンプ１０の吐出側管路を分岐して余剰流体排出管２０を接続する。また、タンク７の上部には、冷却流体を補給するための冷却流体補給管１８、及び、タンク７内の空気を外部へ排除するための空気排除管１９を接続する。
【００１１】
金型１，２内の図示しない被熱交換物を加熱する場合は、循環ポンプ１０を駆動してエゼクタ１１で発生する吸引力でもって金型１，２内を所定の圧力状態、例えば大気圧以下の真空状態、に維持して、蒸気供給管５から所定量の圧力及び温度の蒸気を供給すると共に、圧縮空気供給管３から所定温度及び圧力の圧縮空気を供給することによって、金型１，２を所定の圧力と温度の蒸気及び圧縮空気の混合流体で加熱することができる。加熱により熱を奪われた圧縮空気、及び、蒸気の凝縮した復水は、エゼクタ１１に吸引されタンク７へ至る。
【００１２】
加熱が終了した後に、蒸気供給管５及び圧縮空気供給管３からの流体の供給を停止し、一方、循環ポンプ１０の駆動は継続することによって、エゼクタ１１の吸引力でもって、金型１，２内に一部残留している復水を蒸発気化させることにより、残留復水を完全に排除することができると共に、復水の蒸発潜熱によって加熱後の金型１，２を冷却することができる。このように、残留復水を完全に排除して冷却することによって、ハンドルにプラスチック・シールをより強固に貼り付けることができる。
【００１３】
金型１，２内の被熱交換物を更に冷却する場合は、循環ポンプ１０を駆動して分岐管１５から所定温度にコントロールされた冷却流体を、金型１，２へ噴射すると共に、エゼクタ１１で発生する吸引力でもって金型１，２内を所定の圧力状態、例えば大気圧以下の真空状態、に維持することによって、供給される冷却流体が被熱交換物の熱を奪って蒸発気化することにより、金型１，２内の被熱交換物を気化冷却する。
【００１４】
金型１，２を冷却することによって蒸発した気化蒸気は、エゼクタ１１に吸引されタンク７へ至り、再度、冷却流体となる。
【図面の簡単な説明】
【００１５】
【図１】本発明の加熱冷却装置の実施例を示す構成図。
【符号の説明】
【００１６】
１  上型
２  下方
３  圧縮空気供給管
５  蒸気供給管
７  タンク
１０  循環ポンプ
１１  エゼクタ
１５  分岐管
１８  冷却流体補給管
１９  空気排除管
【図１】
2008122041.tif 000003
(57)【要約】【課題】測定対象の濁度を安定的に精度よく測定する。【解決手段】濁度センサ１は、対向する２つの基板領域２，３と、基板領域２，３を対向支持する支持領域４，５，６とからなる立体回路基板により形成され、基板領域２の基板領域３との対向面には発光素子７が発光面を露出させた状態で埋設され、基板領域３の基板領域２との対向面には複数の受光素子８が受光面を露出させた状態で埋設されている。【選択図】図１
2008122086.tif 000002
【特許請求の範囲】
【請求項１】
対向する２つの基板領域と当該２つの基板領域を対向支持する支持領域とを備える立体回路基板と、
前記２つの基板領域表面に対向配置された発光素子及び受光素子と、
前記支持領域に設けられ、前記受光素子が受光した発光素子の発光光の強度に基づいて発光素子と受光素子間に介在する測定対象物の濁度を演算する回路部と
を備えることを特徴とする濁度センサ。
【請求項２】
請求項１に記載の濁度センサにおいて、前記発光素子及び前記受光素子はそれぞれ発光面及び受光面を露出させた状態で基板領域に埋設されていることを特徴とする濁度センサ。
【請求項３】
請求項１又は請求項２に記載の濁度センサにおいて、前記発光素子及び前記受光素子は透明樹脂により封止されていることを特徴とする濁度センサ。
【発明の詳細な説明】
【技術分野】
【０００１】
本発明は、気体や液体等の測定対象物の濁度を測定する濁度センサに関する。
【背景技術】
【０００２】
従来より、発光素子と、発光素子から離間配置された受光素子とを備え、空気や水等の測定対象物を通過してきた発光素子の発光光の強度を受光素子において測定することにより、測定対象物の濁度を測定する濁度センサが知られている（特許文献１参照）。
【特許文献１】特開２００６−２８４３９８号公報
【発明の開示】
【発明が解決しようとする課題】
【０００３】
従来の濁度センサでは、発光素子と受光素子はそれぞれ別々の基板に実装されているために、発光素子と受光素子間の距離にばらつきが生じることによって、測定対象物の濁度を安定的に精度よく測定することが難しい。このような問題を解決するために、製造された濁度センサ毎に検定を行うことによって濁度の算出式を調整する方法が考えられるが、この方法を用いた場合には濁度センサの調整作業に要する労力が増加する。
【０００４】
本発明は、上記課題を解決するためになされたものであり、その目的は、測定対象の濁度を安定的に精度よく測定可能な濁度センサを提供することにある。
【課題を解決するための手段】
【０００５】
本発明に係る濁度センサは、対向する２つの基板領域と２つの基板領域を対向支持する支持領域とを備える立体回路基板と、２つの基板領域表面に対向配置された発光素子及び受光素子と、支持領域に設けられ、受光素子が受光した発光素子の発光光の強度に基づいて発光素子と受光素子間にある測定対象物の濁度を演算する回路部とを備える。
【発明の効果】
【０００６】
本発明に係る濁度センサによれば、発光素子と受光素子は立体回路基板の対向する２つの基板領域表面に対向配置されているので、発光素子と受光素子間の距離のばらつきが小さくなり、測定対象物の濁度を安定的に精度よく測定することができる。
【発明を実施するための最良の形態】
【０００７】
以下、図１及び図２を参照して、本発明の実施形態となる濁度センサの構成について説明する。なお、図１は本発明の実施形態となる濁度センサの斜視図であり、図２は図１に示す濁度センサの断面図である。
【０００８】
本発明の実施形態となる濁度センサ１は、対向する２つの基板領域２，３と、基板領域２，３を対向支持する支持領域４，５，６とからなる立体回路基板により形成され、立体回路基板は、基板領域２，３と支持領域４によりコの字型の断面形状を形成している。なお、基板領域は、耐熱性合成樹脂又はセラミックスにより形成され、射出成形技術により一体成形される。
【０００９】
基板領域２の基板領域３との対向面には発光素子７が発光面を露出させた状態で埋設され、基板領域３の基板領域２との対向面には複数の受光素子８が受光面を露出させた状態で埋設されている。また、基板領域２の基板領域３との対向面及び基板領域３の基板領域２との対向面には透明樹脂９が形成され、発光素子７と受光素子８はこの透明樹脂８によって封止されている。
【００１０】
支持領域４の裏面側には、発光素子７及び受光素子８と電気的に接続された制御用ＩＣ基板１０が実装されている。この制御用ＩＣ基板１０は、発光素子７及び受光素子８の動作を制御すると共に、受光素子８が受光した発光素子７の発光光の強度及びそのばらつきから発光素子７と受光素子８間の測定対象物の濁度を算出する。
【００１１】
具体的には、制御用ＩＣ基板１０は、受光素子８が受光した発光素子７の発光光の強度及びそのばらつきから測定対象物中に含まれる発光素子７の発光光を散乱させる粒子量を算出し、算出された粒子量に基づき発光素子７と受光素子８間の測定対象物の濁度を算出する。
【００１２】
このように本発明の実施形態となる濁度センサ１では、発光素子７と受光素子８は対向する２つの基板領域２，３表面に対向配置されているので、発光素子７と受光素子８間の距離精度が高くなることにより、発光素子７と受光素子８を別基板に実装した場合と比較して、測定対象物の濁度を安定的に精度よく測定することができる。
【００１３】
以上、本発明者らによってなされた発明を適用した実施の形態について説明したが、本実施形態による本発明の開示の一部をなす論述及び図面により本発明は限定されることはない。すなわち、上記実施の形態に基づいて当業者等によりなされる他の実施の形態、実施例及び運用技術等は全て本発明の範疇に含まれることは勿論であることを付け加えておく。
【図面の簡単な説明】
【００１４】
【図１】本発明の実施形態となる濁度センサの構成を示す斜視図である。
【図２】図１に示す濁度センサの断面形状を示す模式図である。
【符号の説明】
【００１５】
１：濁度センサ
２，３：基板領域
４，５，６：支持領域
７：発光素子
８：受光素子
９：透明樹脂
１０：制御用ＩＣ基板
【図１】
2008122086.tif 000003
【図２】
2008122086.tif 000004
(57)【要約】【課題】  土地問題において、本来なら隣接地主間は好意的でありたい、高額な個人の財産であるにもかかわらず、管理・保全の面では、無知や油断から境界線を侵害され、確執・悪感情のままに他者に売り逃げをされて、次の隣家地主とも又延々と険悪な事態が続くという例もある。【解決手段】  土地の侵害問題で確執が生じて後、訴訟とかになる前に常日頃から、境界線の点検を、あらゆる事態を想定した一つの方法として、先ず、さるべき第三者の立会いのもと、公認測量士の実測に従って明確な表示の杭を設置すべきであり、腐蝕しやすい木杭に代え、そのような事態に対応する為の前処置（予防策）方法として耐久的な、本発明・既製の鋼管・鋼鉄杭にはクロムメッキを、装飾は板金、金型・鋳造等で、杭を二・三・五連結杭とするには鎖等で繋ぎ、杭に装飾を溶接、地中にア−ス・ドリル掘削、セメントミルク固定、和・洋風の家紋・草花紋様等を配してガ−デニング様式にに溶け込んだ防犯を兼ねた、ソフトな装飾杭を提供する。【選択図】図２
2008122354.tif 000002
【特許請求の範囲】
【請求項１】
既成鉄骨・鋼管杭には耐久性強化の為、２回塗りクロムメッキを施す、又、鋳造杭を用いて、一回り大き目の主杭他、各杭の側面に溶接部を、主杭の頭頂部には、和・洋・又はいろいろな家紋や、草花紋様（図２）を板金・鋳造にて装飾作製、杭の熔接部に接着固定し完成、二・三・五連結杭として用いる場合は、通し貫・胴縁により溶接固定、杭の上位置には鎖を繋ぎ、杭・装飾を溶接することで成り、埋設もア−スドリル掘削・セメントミルクで固め、庭園ガ−デニングの装飾様式に溶け込んだソフトな杭として、隣接地主とトラブルを起こさないよう、前処置とも言える方法の、「侵さず、侵されない、明朗に明確・友好的に」をモット−にした境界線標識用・装飾付杭及び連結杭。
【発明の詳細な説明】
【技術分野】
【０００１】    本発明は境界線標識用杭において、杭・連結杭本体及び付属の装飾等に関する。
【背景技術】
【０００２】    従来の境界線表示は、木材による杭・石材を用いた杭等で長い間には、木杭が腐蝕していたり、表示石も位置がずれて不明確なことがあった。
【発明の開示】
【発明が解決しようとする課題】
【０００３】    境界問題は時として地主の無関心に乗じて、知らないうちに隣地・地主に越境をゆるすはめになったりして、紛争の原因になることもあり、掛替えの無い個人の財産である家・土地、特に土地においては、高額なものであり、然しながら管理・保全の面では、人目に付き難い庭奥等は死角であり、無知や油断から、往々にして境界線の侵害等、隣接地主と険悪な事態に陥ることがある。
【課題を解決するための手段】
【０００４】    木造建築を百年持たせる家をと宣伝する世の中である、本件においても省資源・耐久性の見地から、境界線用杭も既製の鋼鉄・鋼管杭に長持ちするようにと、クロムメッキの２回塗り、金型から鋳造の杭・ステンレス杭に、別途、装飾体として、同材質で板金或は金型鋳造により和・洋風の家紋入りや草花紋様等を作製、一番に注目される一回り大きい主杭の、頭頂には防犯（小型・暗視カメラ・通報機器）・照明灯等をセットし「図２」、二連・三連又は五連結の監視機能を有した、保全・管理のための「前処置法」に用いる杭として、庭の人目の届かない死角面にも監視・対応するものとする。
【発明の効果】
【０００５】    隣接の地主一家と何の蟠りもなく仲良くできることは、大きな喜である。然し一旦、問題が拗れて、訴訟・裁判所からの幾度となくくる出頭命令、当方が提訴しても、大変な費用と不愉快な思いをする、敵対すると決して相手を良くは言わない等双方にとっても、いいことは一つも無く、解決してもしっくりとはならない。又、確執のすえ、故意に広く越境して第三者に売り逃げる人も在り、次の新地主とも又延々と険悪な事態が続くのである。家族構成が女一人だったり、人生の弱り時、の老人夫婦だったり、大黒柱の家人が急逝した時等に、家屋・地所のことは何も知らない場合でも、境界線が明確に凛とそびえ、備わっていたら何の脅威も、他からの干渉も無くすごせるメリットがある。
【発明を実施するための最良の形態】
【０００６】    本発明の境界線標識用・装飾付杭及び連結杭は、意匠の組み物同様、杭本体と装飾とが切り離せない一対の製品として、大変、高価な代価・出費ではあるが。子々孫々まで先祖からの貴い財産を継承・故も無く雲散霧消しないためにも、建築家屋に付随したものとして必要不可欠のものと考えるべきで、人気の無い庭奥の、死角をも見据えるす堂々とした標識杭を立てることで、杭の役目を最大に利用。杭の埋設も土圧・地形等に適した本格的な、ア−スドリル掘削・モルタル固めの方法で固定する
【実施例】    威圧感が無いよう、必ずしも三連結杭をではなく、一本の鎖付の装飾杭を用いることも可能で、異国情緒のト−テムポ−ル式には主杭をやや高くした杭「この場合は、ガ−デニングもエスニック風に」や、ソフトに和・洋式の庭作りの様式に溶け込んだ家紋や草花紋様等で「金物の草・花」だから落葉季節のも枯れ葉がお隣へ舞い落ちる心配も無く、容易に腐蝕・変質しない鋼鉄製の装飾付杭を提供する。【０００７】  指キタスのような高度な小型・機器を組み入れ、メインの杭が一本残っておれば、すべての位置・形・面積の土地全体が、机上でも見渡せ復元できる。
【図面の簡単な説明】
【０００８】
【図１】本件発明の概略図
【図２】実施態様を示す図
【図３】溶接部分の拡大図
【符号の説明】
【０００９】        １    主杭本体
２    地面
３    掘削部のモルタル注入図
４    杭頭頂の（一例として）溶接・装飾
５    通し貫・胴縁
６    鎖に装飾を取り付けの（一例）
７    杭本体の装飾体・溶接部
８    装飾体の杭への溶接部
【図１】
2008122354.tif 000003
【図２】
2008122354.tif 000004
【図３】
2008122354.tif 000005
(57)【要約】【課題】本発明は、表裏を目視により容易に識別することが可能な光学レンズを提供することを目的とするものである。【解決手段】本発明の光学レンズは、一方の主面において光学機能を有する第１の曲面１１と、この第１の曲面１１の外周部分を囲むように設けた第１のフランジ面１２と、他方の主面において光学機能を有する第２の曲面１３と、この第２の曲面１３の外周部分を囲むように設けた第２のフランジ面１４とを有し、前記第１の曲面１１の外径Ａと前記第２の曲面１３の外径Ｂとを異ならせたものである。【選択図】図１
2008122657.tif 000002
【特許請求の範囲】
【請求項１】
一方の主面において光学機能を有する第１の曲面と、この第１の曲面の外周部分を囲むように設けた第１のフランジ面と、他方の主面において光学機能を有する第２の曲面と、この第２の曲面の外周部分を囲むように設けた第２のフランジ面とを有し、前記第１の曲面の外径と前記第２の曲面の外径とを異ならせた光学レンズ。
【発明の詳細な説明】
【技術分野】
【０００１】
本発明は、各種光学機器などに用いられる光学レンズに関するものである。
【背景技術】
【０００２】
従来のこの種の光学レンズとしては、図３および図４に示すように、一方の主面において光学機能を有する第１の曲面１と、この第１の曲面１の外周部分を囲むように設けた第１のフランジ面２と、他方の主面において光学機能を有する第２の曲面３と、この第２の曲面３の外周部分を囲むように設けた第２のフランジ面４とを設けたものが知られている。
【０００３】
なお、この出願の発明に関する先行技術文献情報としては、例えば、特許文献１が知られている。
【特許文献１】特開２００４−１４９４１０号公報
【発明の開示】
【発明が解決しようとする課題】
【０００４】
しかしながら、上記した従来の光学レンズにおいては、第１の曲面１の形状と第２の曲面３の形状とが似通っているため、第１の曲面１と第２の曲面３とを目視により識別することが難しく、そのため、第１の曲面１と第２の曲面３とを表裏逆に取り付けてしまう可能性があるという課題を有していた。
【０００５】
本発明は上記従来の課題を解決するもので、表裏を目視により容易に識別することが可能な光学レンズを提供することを目的とするものである。
【課題を解決するための手段】
【０００６】
上記目的を達成するために、本発明は以下の構成を有するものである。
【０００７】
本発明の請求項１に記載の発明は、一方の主面において光学機能を有する第１の曲面と、この第１の曲面の外周部分を囲むように設けた第１のフランジ面と、他方の主面において光学機能を有する第２の曲面と、この第２の曲面の外周部分を囲むように設けた第２のフランジ面とを有し、前記第１の曲面の外径と前記第２の曲面の外径とを異ならせたもので、この構成によれば、第１の曲面の外径と第２の曲面の外径とを異ならせているため、第１の曲面と第２の曲面とを目視により容易に識別することが可能となり、これにより、光学レンズの表裏を間違えずに光学機器に取り付けることが可能になるという作用効果を有するものである。
【発明の効果】
【０００８】
以上のように本発明の光学レンズは、一方の主面において光学機能を有する第１の曲面と、この第１の曲面の外周部分を囲むように設けた第１のフランジ面と、他方の主面において光学機能を有する第２の曲面と、この第２の曲面の外周部分を囲むように設けた第２のフランジ面とを有し、前記第１の曲面の外径と前記第２の曲面の外径とを異ならせているため、第１の曲面と第２の曲面とを目視により容易に識別することが可能となり、これにより、光学レンズの表裏を間違えずに光学機器に取り付けることが可能になるという優れた効果を奏するものである。
【発明を実施するための最良の形態】
【０００９】
以下、本発明の一実施の形態における光学レンズについて図面を参照しながら説明する。
【００１０】
図１は本発明の一実施の形態における光学レンズの断面図、図２は同光学レンズの斜視図である。
【００１１】
図１および図２に示すように、本発明の一実施の形態における光学レンズは、一方の主面において光学機能を有する第１の曲面１１と、この第１の曲面１１の外周部分を囲むように設けた第１のフランジ面１２と、他方の主面において光学機能を有する第２の曲面１３と、この第２の曲面１３の外周部分を囲むように設けた第２のフランジ面１４とを有し、前記第１の曲面１１の外径Ａと前記第２の曲面１３の外径Ｂとを異ならせているものである。
【００１２】
この構成は、第１の曲面１１を外周方向に延長することにより、この第１の曲面１１の外径Ａを拡大するとともに、それに伴って第１のフランジ面１２の幅を狭めることによって実現したものであって、従来のフランジ面の位置１５と比較して、第１のフランジ面１２の位置は、フランジ部１６の厚みが薄くなる方向にシフトしているものである。
【００１３】
上記したように、本発明の一実施の形態における光学レンズの構成によれば、第１の曲面１１の外径Ａと第２の曲面１３の外径Ｂとを異ならせているため、第１の曲面１１と第２の曲面１３とを目視により容易に識別することが可能となり、これにより、光学レンズの表裏を間違えずに光学機器に取り付けることが可能になるという優れた効果を有するものである。
【００１４】
また、上記本発明の一実施の形態における光学レンズにおいては、第１の曲面１１の外径Ａと第２の曲面１３の外径Ｂとを異ならせることにより、第１のフランジ面１２の幅と第２のフランジ面１４の幅も異なってくるため、この第１のフランジ面１２と第２のフランジ面１４とを目視することによっても、容易に識別することが可能になるという効果を併せて有するものである。
【００１５】
そしてまた、上記本発明の一実施の形態における光学レンズにおいては、第１の曲面１１を拡大することにより、フランジ部１６の厚みを薄くすることができるため、これにより、光学レンズの容積も小さくなって、材料の使用量を少なくすることができるとともに、光学レンズの重量を軽くすることができるという効果も併せて有するものである。
【産業上の利用可能性】
【００１６】
本発明に係る光学レンズは、第１の曲面の外径と前記第２の曲面の外径とを異ならせた構成とすることにより、第１の曲面と第２の曲面とを目視により容易に識別することが可能となり、これにより、光学レンズの表裏を間違えずに光学機器に取り付けることが可能になるという効果を有するものであり、特に光学機器等に用いることにより有用となるものである。
【図面の簡単な説明】
【００１７】
【図１】本発明の一実施の形態における光学レンズの断面図
【図２】同光学レンズの斜視図
【図３】従来の光学レンズの断面図
【図４】同光学レンズの斜視図
【符号の説明】
【００１８】
１１  第１の曲面
１２  第１のフランジ面
１３  第２の曲面
１４  第２のフランジ面
【図１】
2008122657.tif 000003
【図２】
2008122657.tif 000004
【図３】
2008122657.tif 000005
【図４】
2008122657.tif 000006
(57)【要約】【課題】  断水時やアウトドア用の組み立て式簡易便器等は、複数人が使用し、排泄物がある程度溜まってから廃棄処分するため、他人の臭気や衛生上多々気になるところがある。また持ち運びにくく、安易に組み立てることができない点や、さらに排泄後の後始末の問題を解決しようとするものである。【解決手段】  本発明は、型抜きした段ボール本体の蓋周りに両面テープ等を貼り、蓋を密封して臭気を防ぐ。また専用の紙袋等に入れることでさらに衛生的になる。廃棄時も袋ごと可燃ゴミに処理することができる。開封前のサイズがＡ４サイズとほぼ等しく、コンパクトである。組み立ても蓋を開き、両方の脚部を広げ、フックをかけるだけで簡単に組み立てることができる。【選択図】図２
2008099779.tif 000002
【特許請求の範囲】
【請求項１】
耐水性のある段ボール等の素材にて型抜きした折りたたみ可能な便器本体と尿吸収機能を有する折りたたみ可能な吸収パッドを接着した折りたたみ式の簡易便器。
【請求項２】
付属品（拭き取り紙、消臭剤、専用のゴミ袋）等を可燃性の素材にすることで、分別処理も可燃物のゴミとして廃棄できる請求項１記載の折りたたみ式の簡易便器。
【発明の詳細な説明】
【技術分野】
【０００１】
本発明は、型抜きした段ボール等の本体に紙オムツ等の尿吸収機能を持つパッドを合わせ、さらに拭き取り紙、ゴミ袋、消臭剤等の付属品を一式備えた便器に関するものである。
【背景技術】
【０００２】
従来からあった断水時やアウトドア用の組み立て式簡易便器等は、複数人が使用するため、本体自体の大きさや強度が求められ、組み立ても容易でないものもある。また排泄物がある程度溜まってから廃棄するため、臭気問題や処理の方法など衛生上不備がある。さらに用を足した後に必要な拭き取り紙等を別に用意する必要があり、緊急時や災害時等は用意を忘れがちになると思われる。
【発明の開示】
【発明が解決しようとする課題】
【０００３】
断水時やアウトドア用の組み立て式簡易便器等は、複数人が使用し、排泄物がある程度溜まってから廃棄するため、他人の臭気や衛生上にも多々気になるところがある。また持ち運びにくく、安易に組み立てることができない点や、さらに排泄後の後始末の問題を解決しようとするものである。
【課題を解決するための手段】
【０００４】
本発明は、耐水性のある段ボール等の素材にて型抜きした折りたたみ可能な便器本体と尿吸収機能を有する折りたたみ可能な吸収パッドを接着した折りたたみ式簡易便器です。また、開封前はＡ４サイズとほぼ等しく、コンパクトで持ち運びに軽く、組み立てやすく、排泄後は蓋を密封しさらに専用のゴミ袋や消臭剤を入れることで臭気の問題を解決し、本体、吸収パッド、付属品（拭き取り紙、消臭剤、専用のゴミ袋）等を可燃性の素材にすることで可燃物のゴミとして廃棄できる。
【発明の効果】
【０００５】
本発明は、折りたたみの段ボールを本体とするため、持ち運びや収入に便利で必要な付属品（拭き取り紙、消臭剤、専用ゴミ袋等）が一式同梱包されている。組み立ても簡単で、各自が使用しその都度廃棄することができるので、特に災害時や断水時の排便やアウトドア用としてとても便利で衛生的である。本体を複数個重ね圧縮梱包して常備しておけば緊急用としてとても役に立つ。
【発明を実施するための最良の形態】
【０００６】
開封し、付属品の消臭剤・拭き取り紙・ゴミ袋等を取り分ける。本体の蓋を開き、折りたたんである両方の脚部を半回転させ、フックをかけ、蓋を全開して平らな地面に置く。さらに金隠し部を起こし、折りたたんである尿取りパッドを下へ押し込み用を足す。排泄後は付属の拭き取り紙で拭き、消臭剤を中に入れ、金隠し部を元へ戻し蓋の両面テープのシールを剥がして密封する。さらに専用ゴミ袋に入れて廃棄する。
【実施例】
【０００７】
以下、添付図面に従って一実施例を説明する。１は耐久性のある段ボール等の素材にて型抜きされた折りたたみ式の便器本体、２は尿吸収機能を有する折りたたみ尿吸収パッドで、１と２を接着したのが折りたたみ便器である。
また８の消臭剤、９の拭き取り紙、１０の専用ゴミ袋を付属品として同梱包したのが本発明の折りたたみ式使い捨て便器です。
【０００８】
７の帯シールの封を切り、折りたたんである３の脚部を外側へ半回転させ４のフックで固定させる。さらに折りたたんである２のパッドを下へ押し込み、５の金隠しを起こし、平らな地面に据えて用を足す。
【０００９】
排泄後は金隠し部５を元の位置へ戻し、本体の蓋にある６のテープ等の上紙を剥がし内部を密封する。さらに１０の専用ゴミ袋に入れて廃棄する。
【図面の簡単な説明】
【００１０】
【図１】本考案の開封前の斜視図である。
【図２】本考案の成り立ちと付属品の斜視図である。
【図３】本考案の折りたたみ方を示す斜視図である。
【図４】本考案の実施例を示す斜視図である。
【符号の説明】
【００１１】
１    折りたたみ式便器本体
２    折りたたみ式尿吸収パッド
３    脚部
４    フック
５    金隠し
６    両面テープ等
７    帯シール
８    消臭剤
９    拭き取り紙
１０  専用のゴミ袋
【図１】
2008099779.tif 000003
【図２】
2008099779.tif 000004
【図３】
2008099779.tif 000005
【図４】
2008099779.tif 000006
(57)【要約】【課題】従来の薬剤散布方法は、苗箱１枚づつ手で散布するか、動力付散布機で行うため均一な散布量を撒くことができないだけでなく、重量物を背負うため、腰を曲げて作業するためである。【解決手段】ローラーから繰り出される薬剤が苗箱の幅に均一、且つ無駄を最小限に抑えることができ、また薬剤散布機能を下部に設けて転がすこと。長尺ハンドルを持つことで腰を曲げることや重労働から開放することができる。【選択図】図１
2008099599.tif 000002
【特許請求の範囲】
【請求項１】
種まきをした苗箱を地面に並べ農薬を散布する場合、苗を傷めないために苗箱の寸法より若干幅広の走行ローラーを設けることで、緑化する時点で苗箱の縁上を回転させても床土に走行ローラーが当らず、苗を傷めることも無く、その回転力から得られた動力を走行ローラー上部に設けられた農薬ホッパーの繰出しローラーに伝動させ回転させることにより、一定量の農薬を苗箱に散布することが出来るハンドル付き農薬散布装置。
【請求項２】
走行ローラーを苗箱の縁上を回転させる場合、農薬の繰出しローラーに回転を伝動させる際、農薬散布装置を押した場合、繰出しローラーが正回転し農薬が繰出されるが、農薬散布装置を引いた場合に走行ローラーが逆回転しても、農薬の繰出しローラーのギヤに動力が伝動し、繰出しローラーが回転しないように走行ローラーにラチェットギヤ又はクラッチ装置を設けたハンドル付き農薬散布装置。
【発明の詳細な説明】
【技術分野】
【０００１】
本発明は苗の緑化時に規定量の農薬を苗箱に均一に散布し、且つ、苗を傷めない為の装置を施した農薬散布に関するものである。
【背景技術】
【０００２】
動力散布機による施薬が行われてきたが、苗箱１箱当りの散布量が均一でなく、ポジティブリストにも抵触する方法だったため、効率よく、均一散布ができ、作業者にも負担のかからない散布装置が望まれている。
【０００３】
【特許文献１】参考文献なし
【発明の開示】
【発明が解決しようとする課題】
【０００４】
解決しようとする問題点は苗の緑化時に農薬を規定量、均一に施薬できる装置が無かったことである。
【課題を解決するための手段】
【０００５】
本発明はハンドルと苗箱上の縁上を走行する走行ローラーと農薬の入るホッパーが一体を成した繰出しローラーから成り、走行ローラーで苗を傷めずに、且つ、走行ローラーからの伝動で繰出しローラーを回転させ、均一に施薬出来るようにした。
【発明の効果】
【０００６】
したがって請求項１記載の発明によれば苗を傷めることも無く、規程量の農薬を均一に撒くことができる。
【発明を実施するための最良の形態】
【０００７】
繰出しローラーから繰出される農薬が均一に散布される結果、無駄もなくなり農薬の持つ本来の薬効が期待される。立ち作業のため労力的にも楽になった。
【実施例】
【０００８】
本発明の農薬散布装置は走行ローラーを苗箱の寸法より若干幅広にしたため、どのような方向にも走行でき、苗を傷つけることなく散布が出きるようにした。
【０００９】
本発明の農薬散布装置は散布するときはハンドルを押し、散布位置を移動する時は引く、といった連続作業になるため本機を押す時のみ農薬が繰出され、ハンドルを引く場合は繰出しローラーが回転しないようラチェットギヤ又はクラッチ装置を施し、農薬が繰出されないようにした。
【図面の簡単な説明】
【００１０】
【図１】農薬散布機の構成を示した外観図である。
【図２】農薬散布機の実施方法を示した説明図である。
【図３】農薬散布機の実施方法を示した説明図である。
【図４】農薬散布機の実施方法を示した説明図である。
【符号の説明】
【００１１】
１  走行ローラー
２  繰出しローラー
３  ホッパー
４  シューター
５  クラッチ装置
６  ハンドル
７  クラッチレバー
８  クラッチワイヤー
【図１】
2008099599.tif 000003
【図２】
2008099599.tif 000004
【図３】
2008099599.tif 000005
【図４】
2008099599.tif 000006
(57)【要約】      （修正有）【課題】植木鉢に植えたる植物の生長を促すため、植木鉢内の土に空気を触れさせ、また、夏や冬の植木鉢の熱さや冷たさから植物の根を守り、かつ、植木鉢に植えたる植物を他の植木鉢に移植する際、移植を容易に行なうことが出来る植木鉢用篭を提供する。【解決手段】篭は、植木鉢の壁の内側の縁あたりから底までの形状に沿った篭の半片状物を組合せて構成され、その篭の半片状物に任意の型と数の空気穴１を任意の場所に穿ち、上端には、空気穴を任意の場所に穿った鍔状の縁２を装着し、さらに縁内に引き上げ用取っ手３を取りつけ、左右の端の一方の端には、篭の半片状物の底よりやや下に伸びた長さで、連結端子４を取りつけた連結部６ａを装着し、もう一方の端には、連結部と同じ長さで、連結穴５を穿った連結部６ｂを装着し、外壁には、連結部と下端の位置の高低が等しい支柱７を装着し、篭の半片８ａと成し、さらにもう一体、同形の篭の半片８ｂを形成する。【選択図】図１
2008099651.tif 000002
【特許請求の範囲】
【請求項１】
植木鉢に挿入して使用される篭であって、当該篭は、植木鉢の壁の内側の縁あたりから底までの形状に沿った篭の半片状物を組合せて構成され、当該半片状物は、その篭の半片状物に、任意の型と数の空気穴（１）を任意の場所に穿ち、上端には、空気穴（１）を任意の場所に穿った鍔状の縁（２）を装着し、さらに縁（２）内に引き上げ用取っ手（３）を取りつけ、左右の端の一方の端には、篭の半片状物の底よりやや下に伸びた長さで、連結端子（４）を取りつけた連結部（６ａ）を装着し、もう一方の端には、連結部（６ａ）と同じ長さで、連結穴（５）を穿った連結部（６ｂ）を装着し、外壁には、連結部（６ａ）（６ｂ）と下端の位置の高低が等しい支柱（７）を装着し、篭の半片（８ａ）と成し、さらにもう一体、同形の篭の半片（８ｂ）を形成して成ることを特徴とする植木鉢用篭。
【発明の詳細な説明】
【技術分野】
【０００１】  植木鉢に植えたる植物の生長を促すため、植木鉢内の土に空気を触れさせ、また、夏や冬の植木鉢の熱さや冷たさから植物の根を守り、かつ、植木鉢に植えたる植物を他の植木鉢に移植する際、移植を容易に行なうことが出来る植木鉢用篭に関するものである。
【背景技術】
【０００２】  プラスチックや陶器の植木鉢は、素焼きの植木鉢と違い空気を通しにくいので、植物の根に空気が触れにくく生長には良くないと言われている。
また、夏の暑さや冬の寒さのため、植木鉢が熱くなったり冷たくなったりして、植物の根を弱らせる。
そして、従来の植木鉢は、壁と底が一体成型となっているため、植えてある植物を他の植木鉢に移植する際、土をかきだすのに手間がかかる。
【発明の開示】
【発明が解決しようとする課題】
【０００３】  植物の生長に必要な空気を通しにくいプラスチックや陶器の植木鉢でも、植木鉢内の土に空気を触れさせ植物の生長を促し、また、夏の暑さや冬の寒さのため、植木鉢が熱くなったり冷たくなったりして植物の根が弱まるのを防ぎ、そして、植木鉢に植えたる植物を他の植木鉢に移植する際、土をかきだすのに手間がかからず移植を完了させることを本発明は目的とする。
【課題を解決するための手段】
【０００４】  植木鉢に挿入して使用される篭であって、当該篭は、植木鉢の壁の内側の縁あたりから底までの形状に沿った篭の半片状物を組合せて構成され、当該半片状物は、その篭の半片状物に、任意の型と数の空気穴（１）を任意の場所に穿ち、上端には、空気穴（１）を任意の場所に穿った鍔状の縁（２）を装着し、さらに縁（２）内に引き上げ用取っ手（３）を取りつけ、左右の端の一方の端には、篭の半片状物の底よりやや下に伸びた長さで、連結端子（４）を取りつけた連結部（６ａ）を装着し、もう一方の端には、連結部（６ａ）と同じ長さで、連結穴（５）を穿った連結部（６ｂ）を装着し、外壁には、連結部（６ａ）（６ｂ）と下端の位置の高低が等しい支柱（７）を装着し、篭の半片（８ａ）と成し、さらにもう一体、同形の篭の半片（８ｂ）を形成する。
【発明の効果】
【０００５】  植物の生長に必要な空気を通しにくいプラスチックや陶器の植木鉢でも、本発明を植木鉢内に装置することにより、植木鉢内の土に空気を触れさせ植物の生長を促進させることが出来、また、夏の暑さや冬の寒さのため、植木鉢が熱くなったり冷たくなったりして植物の根を弱めるのを防ぎ、そして、植木鉢に植えたる植物を他の植木鉢に移植する際、土をかきだすのに手間がかからない。
【発明を実施するための最良の形態】
【０００６】以下、本発明の構造と使用方法を述べる。
−構造−
１  ［図１］参照
植木鉢に挿入して使用される篭であって、当該篭は、植木鉢の壁の内側の縁あたりから底までの形状に沿った篭の半片状物を組合せて構成され、当該半片状物は、その篭の半片状物に、任意の型と数の空気穴（１）を任意の場所に穿ち、上端には、空気穴（１）を任意の場所に穿った鍔状の縁（２）を装着し、さらに縁（２）内に引き上げ用取っ手（３）を取りつけ、左右の端の一方の端には、篭の半片状物の底よりやや下に伸びた長さで、連結端子（４）を取りつけた連結部（６ａ）を装着し、もう一方の端には、連結部（６ａ）と同じ長さで、連結穴（５）を穿った連結部（６ｂ）を装着し、外壁には、連結部（６ａ）（６ｂ）と下端の位置の高低が等しい支柱（７）を装着し、篭の半片（８ａ）と成し、さらにもう一体、同形の篭の半片（８ｂ）を形成する。
−使用方法−
イ  植物の生長を促す場合
［図２］参照
本発明を植木鉢内に装置することにより、縁（２）や連結部（６ａ）（６ｂ）や支柱（７）と植木鉢の壁や底との間に隙間（９）が生じ、空気穴（１）から空気が植木鉢内の土に入り植物の生長を促す。
ロ  植木鉢の熱さや冷たさから植物の根を守る場合
［図２］参照
植木鉢の夏の暑さによる熱さや冬の寒さによる冷たさを、隙間（９）内の空気が遮断するから、植木鉢内の土は極端に熱くも冷たくもならず、植物の根を弱らせない。
ハ  移植の手間を簡単にする場合
［図２］参照
植木鉢内に装置した、本発明内に植えたる植物を他の植木鉢に移植するには、まず、本発明の取っ手（３）を掴み、上方向へ引き上げ植木鉢から取り出す。
取り出したる本発明をいったん下に降ろし、篭の半片（８ａ）（８ｂ）を分離させる。植えてある植物と周囲の土を簡単に取り出すことが出来る。
【図面の簡単な説明】
【０００７】
【図１】  本発明の斜面図
【図２】  本発明の使用状態を示す斜面図
【符号の説明】
【０００８】      １  空気穴
２  縁
３  取っ手
４  連結端子
５  連結穴
６ａ連結部
６ｂ連結部
７  支柱
８ａ篭の半片
８ｂ篭の半片
９  隙間
【図１】
2008099651.tif 000003
【図２】
2008099651.tif 000004
(57)【要約】【課題】穀類及び豆類、野菜、魚介類等の食品素材に付着する微生物を、食味及び風味を損なわずに、低減させる方法を開発することにある。【解決手段】ｐＨ１２．０以上の焼成カルシウム水溶液に、オゾンガスまたは酸素ガスを混入して、殺菌効果を有するＯＨラジカルを積極的に増加させた水を製造し、この水溶液にて、穀類及び豆類、野菜、魚介類等の食品素材を流水処理することで、これらに付着する微生物を、食味および風味を損なわずに低減させる。【特許請求の範囲】
【請求項１】
ｐＨ１２．０以上の焼成カルシウム水溶液にオゾンガスを混入し、この水溶液で流水処理することを特徴とする穀類及び豆類、野菜、魚介類等の食品素材の殺菌方法
【請求項２】
ｐＨ１２．０以上の焼成カルシウム水溶液に酸素ガスを混入し、この水溶液で流水処理することを特徴とする穀類及び豆類、野菜、魚介類等の食品素材の殺菌方法
【発明の詳細な説明】
【技術分野】
【０００１】本発明は、穀類及び豆類、野菜、魚介類等の食品素材に付着する微生物を水溶液下、かつ非加熱で殺菌する方法に関するものである。
【背景技術】
【０００２】水溶液下、かつ非加熱によって殺菌する方法として、次亜塩素酸、オゾン水、有機酸、電解水等を利用する方法が知られている。このうち、オゾン水による殺菌機構は、酸性域ではオゾンそのものが主体となり、アルカリ性域ではオゾンが分解する際に生成するＯＨラジカルが主体となって微生物の細胞壁を破壊し、死滅させる。このオゾンのアルカリ性域での特性を利用して、ｐＨ７．５〜１１．０の範囲のアルカリ性水とオゾン水を利用した穀類の洗浄技術（特許文献１参照）があるが、ｐＨ１２．０以上の強アルカリ性の水溶液に、オゾンガスや酸素ガスを混入して、積極的に殺菌効果を有するＯＨラジカルを生成し、この水にて食品素材を殺菌する方法の事例はない。（非特許文献１、非特許文献２，非特許文献３参照）
【特許文献１】特開２０００−１８９０６７
【非特許文献１】殺菌・除菌実用便覧、サイエンスフォーラム、１９９６
【非特許文献２】洗浄殺菌の科学と技術、サイエンスフォーラム、２０００
【非特許文献３】食品の非加熱殺菌応用ハンドブック、サイエンスフォーラム、２００１
【発明の開示】
【発明が解決しようとする課題】
【０００３】次亜塩素酸やオゾン水、有機酸、電解水を利用する方法は、遊離している微生物には優れた殺菌効果を発揮するが、食品素材に付着した微生物に対しては、食品素材表面に存在する油脂及び蛋白質や、食品素材から溶出する有機物等により、微生物と殺菌効果を有する成分の接触阻害をうけ、殺菌効果が低下する。【０００４】また、次亜塩素酸やオゾン水、有機酸を利用する方法では、食品素材本来の食味や風味を損なうという問題がある。
【課題を解決するための手段】
【０００５】焼成カルシウム水溶液に、オゾンガスまたは酸素ガスを混入して、殺菌効果を有する活性酸素種の一種であるＯＨラジカルを積極的に増加させ、かつ、Ｃａ＋＋の特性（吸着性及び凝集性、沈降性）を持った水を製造し、この水溶液にて、穀類及び豆類、野菜、魚介類等の食品素材を流水処理することで、これらに付着する微生物を殺菌および除菌する。
【発明の効果】
【０００６】ｐＨ１２．０以上の焼成カルシウム水溶液に、オゾンガスまたは酸素ガスを混入し、この水溶液にて、穀類及び豆類、野菜、魚介類等の食品素材を流水処理することで、食味や風味を損なわず、かつ、これらに付着する微生物を低減させることが出来る。
【発明を実施するための最良の形態】
【０００７】次に、この発明を実施するための好適な状態を説明すると、ｐＨ１２．０以上の焼成カルシウム水溶液に、オゾン濃度が１ｐｐｍ以上になるようオゾンガスを混入し、この水溶液で、穀類及び豆類、野菜、魚介類等の食品素材を流水処理することを特徴とする。【０００８】また、ｐＨ１２．０以上の焼成カルシウム水溶液に、酸素濃度が２０ｐｐｍ以上（大気圧下無気泡状態にて）になるよう酸素ガスを混入し、この水溶液で、穀類及び豆類、野菜、魚介類等の食品素材を流水処理することを特徴とする。
【実施例１】
【０００９】０．２％の焼成カルシウムを添加した水（ｐＨ１２．４）に、気液混合装置とオゾンガス生成装置にて、オゾン濃度が５ｐｐｍになるようにオゾンガスを混入した水を製造した。この水を処理槽内に流速１Ｌ／分で連続的に給水し、この中で１ｋｇの玄米を１時間処理した。この処理した玄米を一旦、滅菌水にて洗浄した後、無菌的に採取し、一般生菌数の検査を実施した。対照として、水道水で処理した区と、５ｐｐｍオゾン水で処理した区、０．２％の焼成カルシウムを添加した水で処理した区を設けた。
これらの結果を表１に示す。【００１０】
【表１】
2008099653.tif 000002
【実施例２】
【００１１】０．２％の焼成カルシウムを添加した水（ｐＨ１２．４）に、気液混合装置とオゾンガス生成装置にて、オゾン濃度が５ｐｐｍになるようにオゾンガスを混入した水と、酸素濃度が２０ｐｐｍになるように酸素ガスを混入した水を製造した。これらの水を処理槽内に流速２Ｌ／分で連続的に給水し、この中で１０ｇのスプラウトを３分間処理した。この処理したスプラウトを一旦、滅菌水にて洗浄した後、無菌的に採取し、一般生菌数の検査を実施した。対照として、水道水で処理した区と、０．２％の焼成カルシウムを添加した水で処理した区を設けた。これらの結果を表２に示す。【００１２】
【表２】
2008099653.tif 000003